(57)【要約】【課題】従来の調整式戸車やネジ式高さ調整滑り具の問題点を解消し、誰でも簡単に柱等に対する障子や引き戸や襖等の傾きを修正できて、柱等に対して障子や引き戸や襖等を隙間なく閉じることができるとともに、障子や引き戸や襖等を円滑に摺動させることができる戸滑り具を提供することにある。【解決手段】片側に傾斜面部４を形成し、前記傾斜面部４の長手方向に長溝８を形成するとともに前記長溝８内の長手方向に連続する凹凸係合部９を形成してなる滑り具本体２と、滑り具本体２の凹凸係合部９に係合して前記長手方向に移動および所望箇所で係止できるとともに、前記滑り具本体２の傾斜面部４に対して水平を保持する摺動面部１４を有してなる高さ調整手段３と、を備えてなる構成である。【選択図】  図１
2005200833.tif 000002
【特許請求の範囲】
【請求項１】
片側に傾斜面部を形成してなる滑り具本体と、前記した傾斜面部に対して水平を保持する摺動面部を備え、この摺動面部を滑り具本体の傾斜面部に沿って水平を保持しながら移動させ所望箇所で係止できる高さ調整手段と、を備えてなる構成を特徴とする戸滑り具。
【請求項２】
片側に傾斜面部を形成し、前記傾斜面部の長手方向に長溝を形成するとともに前記長溝内の長手方向に連続する凹凸係合部を形成してなる滑り具本体と、滑り具本体の凹凸係合部に係合して前記長手方向に移動および所望箇所で係止できるとともに、前記滑り具本体の傾斜面部に対して水平を保持する摺動面部を有してなる高さ調整手段と、を備えてなる構成を特徴とする戸滑り具。
【請求項３】
長手方向に長溝を形成するとともに前記長溝内の長手方向に連続する凹凸係合部を形成し、かつ側面部の長手方向に傾斜溝を形成した滑り具本体と、滑り具本体の傾斜溝に戸車を回転自在に支持する支持部材を摺動自在に係合するとともに、滑り具本体の凹凸係合部に係合する係合手段によって前記戸車を支持部材を介して滑り具本体の長手方向に移動および所望箇所で係止できるようにした戸車高さ調整手段と、を備えてなる構成を特徴とする戸滑り具。
【発明の詳細な説明】
【技術分野】
【０００１】
本発明は、襖、引き戸、障子等の各種の摺動部材に取り付けて使用することができる戸滑り具に関するものである。
【背景技術】
【０００２】
従来、敷居に嵌め込んだ障子や引き戸等が、柱との間で目視できるような隙間を生じている場合、一旦敷居から外して障子や引き戸等の下端面をカンナで削り、再び敷居に嵌め込み、まだ隙間が生じているようであれば再び敷居から外して削り直し再び敷居に嵌める、といった作業を繰り返さなければ柱に対する障子や引き戸等の傾きを修正することができず、手間も時間もかかり甚だ大変な作業であった。また熟練者でないと上手く調整することができなかった。
【０００３】
そこで、このような削り作業をなくして、柱に対する障子や引き戸等の傾きを修正できる調整式戸車が開発されている。しかしながら、この調整式戸車を和室の襖に取り付けると、綺麗な敷居が疵付いてしまう懸念があり、和室では使用されていなかった。
【０００４】
また、障子や引き戸等の傾きを修正して円滑に敷居を摺動させることができるネジ式高さ調整滑り具も開発されている。このネジ式高さ調整滑り具１０１(図１７参照)は、障子や引き戸等の下端部に形成された穴に嵌着する樹脂製筒状で雌ねじを形成した本体１０２と、この本体１０２の雌ねじにねじ合わせる樹脂製のネジ部材１０３とからなるものである。ネジ部材１０３の頭部１０４は、平坦で＋穴１０５を形成してある。このネジ式高さ調整滑り具１０１は、障子や引き戸等の下端部の前後端近傍に取り付けて一旦障子や引き戸等を敷居にはめ込み、柱に対する障子や引き戸等も傾き（隙間）をサシ等の計測具で計測し、ネジ部材１０１の＋穴１０５にドライバーを係合させて回し、本体１０２からのネジ部材１０３の突出長さを調整して障子や引き戸等に取り付けている。
【０００５】
なお、本発明に関連する特許文献を以下に例示する。
【特許文献１】特開２００３−３２８６３２号公報
【特許文献２】特開２００３−１２９７３３号号公報
【特許文献３】特開２００２−２４２５１８号公報
【特許文献４】特開２００２−４６９８号公報
【発明の開示】
【発明が解決しようとする課題】
【０００６】
ところが、前記したようなネジ式高さ調整滑り具１０１では、障子や引き戸等の柱に対する傾きに対してどの程度、ネジ部材１０３の突出長さを調整すればよいかは経験によるところが大きく、経験者でないと調整するのが難しかった。また、調整取り付けにあたっても、この滑り具１０１を取り付けた障子や引き戸等を一旦敷居にはめ込んで傾きを確認し、その後、障子や引き戸等を敷居から外して、本体１０２からのネジ部材１０３の突出長さを調整し、再び障子や引き戸等を敷居にはめ込んで傾きを確認する。または、傾きを確認後、再度敷居から外して突出長さを調整し、再び敷居に嵌めるといった作業を繰り返さなければ障子や引き戸等の傾きを修正できなかった。
【０００７】
しかも、このネジ式高さ調整滑り具１０１は、本体１０２とのネジ合わせによってネジ部材１０３の突出長さを調整して、柱に対する障子や引き戸等の傾きを修正するものであるので、障子や引き戸等を開け閉めしている間に、ネジ部材１０３が回転してネジ部材１０３の突出長さが変化して障子や引き戸等に傾きが生じ、柱との間に隙間が生じるとともに障子や引き戸等の開け閉めを円滑にできなくなるといった問題があった。
【０００８】
本発明は前記のような従来の問題点に鑑みて開発したものである。その目的とするところは、従来の調整式戸車やネジ式高さ調整滑り具の問題点を解消し、誰でも簡単に柱等に対する障子や引き戸や襖等の傾きを修正できて、柱等に対して障子や引き戸や襖等を隙間なく閉じることができるとともに、障子や引き戸や襖等を円滑に摺動させることができる戸滑り具を提供することにある。
【課題を解決するための手段】
【０００９】
本発明は前記した目的を有効に達成するために、次のような構成にしてある。すなわち、請求項１に記載の本発明の戸滑り具は、片側に傾斜面部を形成してなる滑り具本体と、前記した傾斜面部に対して水平を保持する摺動面部を備え、この摺動面部を滑り具本体の傾斜面部に沿って水平を保持しながら移動させ所望箇所で係止できる高さ調整手段と、を備えてなる構成である。
【００１０】
請求項２に記載の本発明の戸滑り具は、片側に傾斜面部を形成し、前記傾斜面部の長手方向に長溝を形成するとともに前記長溝内の長手方向に連続する凹凸係合部を形成してなる滑り具本体と、滑り具本体の凹凸係合部に係合して前記長手方向に移動および所望箇所で係止できるとともに、前記滑り具本体の傾斜面部に対して水平を保持する摺動面部を有してなる高さ調整手段と、を備えてなる構成である。
【００１１】
また、請求項３に記載の本発明の戸滑り具は、長手方向に長溝を形成するとともに前記長溝内の長手方向に連続する凹凸係合部を形成し、かつ側面部の長手方向に傾斜溝を形成した滑り具本体と、滑り具本体の傾斜溝に戸車を回転自在に支持する支持部材を摺動自在に係合するとともに、滑り具本体の凹凸係合部に係合する係合手段によって前記戸車を支持部材を介して滑り具本体の長手方向に移動および所望箇所で係止できるようにした戸車高さ調整手段と、を備えてなる構成である。
【発明の効果】
【００１２】
このような構成からなる本発明の戸滑り具では、取り付け位置を障子等の下端部の所定位置に取り決めておき、障子等の側端と、この側端に対峙する柱の面との所定位置（例えば障子等の側端側の上端または下端）との隙間の距離を計測具で計測し、この計測値を基に事前に計算によって得られる高さ調整手段の滑り具本体に対する移動距離分だけ、高さ調整手段を滑り具本体の長手方向に移動させて前記障子等の下端部の所定位置に取り付けることにより、柱に対する障子等の傾きを修正して、障子等の側端面を、障子等を閉めた時に柱に密着させることができる。したがって、前記した隙間の距離（勿論、傾き角度でもよい）を計測するだけで誰にでも簡単に障子等の柱に対する傾きを修正することができ、障子等の傾き修正・取り付けの作業性を向上させることができる。
【発明を実施するための最良の形態】
【００１３】
図１〜図７は一例の本発明を実施するための最良の形態の戸滑り具に関する図であって、図示の戸滑り具１は、片側に傾斜面部４を形成してなる滑り具本体２と、前記した傾斜面部４に対して水平を保持する摺動面部１４を備え、この摺動面部１４を滑り具本体２の傾斜面部４に沿って移動させ所望箇所で固定させることができる高さ調整手段３と、を備えてなる構成である。
【００１４】
より具体的に説明すると、滑り具本体２は、長手方向の一端から他端にかけて傾斜させた傾斜面部４を片側に形成しかつ高所端側に開口端部２ｂを形成した本体部２ａと、本体部２ａの開口端部２ｂを開閉するために開口端部２ｂにはめ込んで取り付けられる閉鎖板２ｃとからなる。それぞれの部材２ａ、２ｃは樹脂成型によって形成されている。また、この例の本体部２ａの傾斜面部４の傾斜角度は８°である。勿論、傾斜角度はこの角度に限定されることなく、８°より大きくても小さくてもよい。
【００１５】
本体部２ａの傾斜面部４と反対側は、長手方向の一端から他端まで平坦に形成された平坦面部５である。平坦面部５の両端近傍には貫通穴６が形成されている。この貫通穴６は障子等の下端部に滑り具本体２を取り付けるときのネジ等を通す穴である。なお、本体部２ａは、平坦面部５の外面側に図中(図１、図２等参照)の二点鎖線で示すように平面視長方形状の凹部７を形成したもの、或いは平坦面部５の各貫通穴６の箇所の周囲を四角形状に外方に突出形成(図示省略)したものであってもよい。
【００１６】
この前記本体部２ａの傾斜面部４側には、平坦面部５まで通じる深さの長溝８が本体部２ａの長手方向に形成されている。長溝８の一端は、前記した開口端部２ｂに通じ他端は本体部２ａの閉鎖端部２ｄで閉鎖されている。この長溝８の両側である本体内側面には、長手方向に連続する凹凸係合部９が開口端部２ｂから閉鎖端部２ｄの近傍まで形成されている。
【００１７】
また、閉鎖板２ｃ(図１、図５参照)は、開口端部２ｂを閉鎖できる大きさの長方形状であって、片面側の上部に係合凸部１０が形成され、本体部２ａの開口端部２ｂ側の凹凸係合部９の一山（凸部）１１と一谷（凹部）１２に係合する係止部１３が係合凸部１０の両側に形成されている。この閉鎖板２ｃは、傾斜面部４側から本体部２ａに嵌めたり本体部２ａから外したりできる。
【００１８】
次に前記した滑り具本体２に取り付ける高さ調整手段３は、図示の例では摺動面部１４を有する高さ調整部材１５(図６参照)と、この高さ調整部材１５に係止して前記した傾斜面部４と共に移動して所望位置で固定させる係止固定部材１６(図１７参照)とからなるものである。
【００１９】
高さ調整部材１５(図１、図６参照)は、本体部２ａの傾斜面部４に接触して摺動する平坦面１７と、この平坦面１７に対して図示の例では８°の傾斜角度をもった摺動面部１４を有し、かつ図上（図６ａ、６ｂ参照）の下部に前記平坦面１７と所定の隙間の隙間溝１８（両側に形成されている）を介して一方向に突出形成された一対の係止杆１９を両側に有し、かつ前記隙間溝１８の係止杆１９の突出側に係止固定部材１６(図７参照)を係止するストッパー２０を有している。さらに、前記した各係止杆１９の基部２１には、本体部２ａの凹凸係合部９の各山（正三角形または２等辺三角形等）の頂部と接する段差部２２が形成され、かつ、各係止杆１９の突出部２３の先端部には、外側に本体部２ａの凹凸係合部９の山間に係合或いは係止する平面視半円状の凸部２４が形成されている。また、凸部２４と反対側には、係止固定部材１６(図７参照)の後述する係止片部２５の移動を阻止する係止凸部２６が形成されている。２７は基部２１に形成された凹部である。この高さ調整部材１５は、全体を樹脂成型によって一体形成されたものであり、前記した一対の係止杆１９の突出部２３は弾性を有し、ある程度両側並びに内側方向に撓むことができる。このことは後述するが高さ調整部材１５を移動させ本体部２ａの所望位置で固定させるときに有効である。
【００２０】
係止固定部材１６(図１、図７参照)は、前記した高さ調整部材１５(図６参照)の両側の隙間溝１８に係合する係止部２８を先端部の内側に形成した一対の係合杆２９と、係合杆２９の基部３０の上部に形成した指当接用の操作部３１と、基部３０の下部に形成した係止片部２５と、を樹脂成型によって一体形成したものである。
【００２１】
前記した滑り具本体２に高さ調整手段３（高さ調整部材１５及び係止固定部材１６）を取り付ける場合は、高さ調整部材１５と係止固定部材１６とを係合させた後に取り付ける。すなわち、高さ調整部材１５の両側の隙間溝１８に、係止固定部材１６の各係合杆２９の係止部２８を、高さ調整部材１５の係止杆１９側から嵌め込んで係合させる。この際、係止固定部材１６の係止片部２５は、高さ調整部材１５の両係止杆１９の間に係合しかつストッパー２０寄りに位置させておく。このことにより高さ調整部材１５の両係止杆１９は、係止固定部材１６の係止片部２５によって内側方向への撓みを阻止されることなく、自由に撓むことができる。
【００２２】
このように係合させた高さ調整部材１５と係止固定部材１６とからなる高さ調整手段３を、滑り具本体２の本体部２ａに取り付ける場合は、本体部２ａの開口端部２ｂから高さ調整部材１５の係止杆１９を挿入する。この際、本体部２ａの凹凸係合部９には高さ調整部材１５の段差部２２(図１、図６参照)が係合して摺動し、本体部２ａの傾斜面部４には高さ調整部材１５の両側の平坦面１７が当接して摺動する。また、高さ調整部材１５の各係止杆１９の凸部２４は、本体部２ａの凹凸係合部９の繰り返し連続する凹凸である谷・山に係合・離脱して高さ調整手段３の移動とともに移動していく。高さ調整手段３の移動は、高さ調整部材１５等を押したり引いたりすることにより、本体部２ａの長手方向に往復移動させることができる。高さ調整手段３を本体部２ａに取り付けた後は、本体部２ａの閉鎖端部２ｄを閉鎖板２ｃで閉鎖する。
【００２３】
そしてこの戸滑り具１の取り付け時に高さ調整部材１５の本体部２ａに対する位置が決まれば、係止固定部材１６の操作部３１に例えば親指を当接させて本体部２ａの閉鎖端部２ｄ方向に引き、高さ調整部材１５の係止凸部２６の傍まで係止固定部材１６の係止片部２５を位置させる。このことにより高さ調整部材１５の各係止杆１９の内側への撓みは、係止固定部材１６の係止片部２５で阻止され、各係止杆１９の先端部の凸部２４は本体部２ａの凹凸係合部９の谷（凹部）に係止した状態で保持される。それ故に高さ調整部材１５は、本体部２ａの所望位置に固定することができる。
【００２４】
なお、前記した例では、高さ調整手段３は高さ調整部材１５と操作部材１６とによって構成されているが、摺動面部を有する高さ調整部材のみの構成からなるもの、あるいは高さ調整部材と操作部材とを一体形成した構成からなるものであってもよい。勿論、高さ調整部材は、敷居を摺動する水平を保持した摺動面部を有する構成で、滑り具本体の傾斜面部を移動して所望の箇所で滑り具本体に係止「固定」できれば如何なる構成のものであってもよい。
【００２５】
次に上述のような構成からなる戸滑り具１を、例えば障子の下端部に取り付けて、障子に対する柱の傾きを障子側で修正する場合について説明する(図８〜図１１参照)。なお、戸滑り具１は、障子５５の下端部の予め決めた位置に取り付ける。この予め決めた位置は、例えば障子５５の下端部の両端寄りの２箇所とする。障子５５に対する柱５４の傾き方向、すなわち、傾きによる柱５４と障子５５の隙間が、障子５５の下部側で生じているのか、或いは障子の上部側で生じているのかによって、柱５４寄りに取り付ける戸滑り具１の高さ調整をしたり、或いは柱５４から離れたもう一方の位置の戸滑り具１の高さ調整をしたりして傾きを修正する
【００２６】
図８に障子５５に対する柱５４の傾きの一例（柱５４の傾きによる柱５４と障子５５の隙間が障子５５の上部側で生じている場合の例）を示して、戸滑り具１を使った障子５５側での傾き修正について説明する。なお、図は説明の便宜上、柱５４の傾きを大きく描いてある。実際にはこのような極端な柱の傾きはないと考えられる。
【００２７】
また、初期設定条件として、障子５５の下端部の所定位置に取り付けた高さ調整前の戸滑り具１の状態は、障子５５の下端面に対して戸滑り具１の高さ調整部材１５の摺動面部１４が面一となるようにする。さらに、高さ調整部材１５は、滑り具本体２の最も傾斜の低い側（図１の閉鎖端部２ｄ側）まで移動させて設定しておく。また障子５５の下端部の所定位置に取り付ける戸滑り具１は、滑り具本体２の閉鎖端部２ｄ側を柱５４側にして取り付ける。勿論、これらの初期設定条件は、高さ調整をする場合の一例であって、他の初期設定条件によって高さ調整を行うように取り決めるも自由である。
【００２８】
そこで、戸滑り具１を使った傾き修正について説明すると、図示(図８)の例の場合は柱５４からより離れた位置に取り付ける戸滑り具１（Ａ点位置に取り付けられる戸滑り具１）によって高さ調整する。図中の二点鎖線は傾き修正した後の障子５５を示す。
障子５５の高さ                                ；ｂ
障子５５の下端部のＢ点からＡ点までの距離      ；Ｌ
Ａ点から敷居５６のＣ点までの高さ調整距離      ；ａ
障子５５の上部端と柱５４との隙間の計測距離    ；Ｘ
とすると、ｂ：Ｘ＝Ｌ：ａからａ＝（Ｌ×Ｘ）／ｂである。
現場で障子５５の上部端と柱５４との隙間の距離Ｘを計測することにより、戸滑り具１で調整する高さ調整距離ａを前記の式で計算することができる。
【００２９】
さらに図９に示すように、０点位置にある高さ調整部材１５を移動させて摺動面部１４を高さ調整距離ａまで移動させる距離をＶとすると、（高さ調整部材１５の摺動する本体部２ａの傾斜角度は、この例では前記したように８°）
ｔａｎ８°＝ａ／ＶからＶ＝ａ／ｔａｎ８°となる。なお、０点から高さ調整距離ａまでの距離による高さ調整距離ａに加算する補正距離を加えた高さ調整距離は、前記の高さ調整距離ａと近似するので高さ調整距離としてａを使用する。
【００３０】
前記のように高さ調整部材１５を移動させる距離Ｖがわかれば、事前に高さ調整部材１５を本体部２ａの凹凸の連続する凹凸係合部９に対して何ピッチ移動させれば、高さ調整部材１５を距離Ｖだけ動かして調整距離ａ分だけ高さ調整部材１５を敷居側に突出させ、障子５５の傾きを二点鎖線で示す障子５５のように修正することができる。
【００３１】
したがって、現場では前記した隙間距離Ｘを測定するだけで、後は事前に作成されている計算早見表から隙間距離Ｘの時の調整高さａを読み取り、この調整高さａの時の前記した移動距離Ｖを読み取り、さらに、この移動距離Ｖから、本体部２ａの側面等に付けた例えば数字の何番まで高さ調整部材１５を動かせばよいかを読み取り、この数字の位置に高さ調整部材１５を動かして戸滑り具１による高さ調整する。このようにした戸滑り具１を障子５５の下端部の所定位置にネジ等で取り付けることにより、経験者や熟練者でなくても簡単にかつ短時間に傾きを修正することができる。
【００３２】
図１０は、図８の例と反対方向に柱５４が傾いている場合の例を示す。なお、図は便宜上、柱の傾きを大きく描いてある。また、この場合、柱５４寄りに取り付ける戸滑り具１によって高さ調整する。戸滑り具１の傾斜の高い側（閉鎖板２ｃ側）を柱５４側にして障子５５の下端部の所定位置に取り付ける。
【００３３】
この例では、現場で障子５５の下部端と柱５４との隙間の距離Ｙを計測することにより、戸滑り具１で調整する高さ調整距離ａを前記と同様の式で計算することができる。
ｂ：Ｙ＝Ｌ：ａからａ＝（Ｌ×Ｙ）／ｂ
【００３４】
そして図１１に示すように、０点位置にある高さ調整部材１５を移動させて摺動面部１４を高さ調整距離ａまで移動させる距離をＶとすると、（高さ調整部材１５の摺動する本体部２ａの傾斜角度は前記と同様に８°）
ｔａｎ８°＝ａ／Ｖから、Ｖ＝ａ／ｔａｎ８°となる。
【００３５】
以降は、前記の例と同様にして戸滑り具１の高さ調整を行って障子の下端部の所定箇所に取り付ければよい。したがって、この例でも現場で前記した隙間距離Ｙを測定するだけで、前記の例と同様に経験者や熟練者でなくても簡単にかつ短時間に傾きを修正することができる。
【００３６】
なお、この例の戸滑り具１においては、滑り具本体２を次に示す例の外嵌固定部３３ｂ(図１２参照)のような外嵌部材に嵌合収納して障子や引き戸等に取り付けられるようにしてもよい。
【００３７】
次に図１２〜図１６は本発明に係る他の例の戸滑り具に関する図である。この戸滑り具３２は、滑り具本体３３と戸車高さ調整手段３４とによって構成され、主に重い引き戸等に使用する。
【００３８】
この滑り具本体３３は本体部３３ａと外嵌固定部３３ｂとからなり、本体部３３ａ(図１２〜図１４参照)は長溝３５を有する横断面コ字状の横長直方体形状であって、両側面部３６の長手方向に傾斜溝３７を形成し、両側面部３６の一端寄りの内面には図示のように山形・谷形の交互に連続する凹凸係合部３８を形成し、さらに底部の２箇所にネジ孔５７を形成したステンレス製のものである。また、外嵌固定部３３ｂ(図１２、図１４参照)は、前記本体部３３ａを嵌合させて収納できる大きさの横断面コ字状の横長直方体形状で、上部（図１４の図上）の両端部に座グリした穴４０を有する鍔４１を形成し、さらに前記本体部３３ａの各ネジ孔５７と一致する底部の２箇所に座グリした孔５８を形成したプラスチック製のものである。本体部３３ａと外嵌固定部３３ｂとは、ネジ孔５７及び孔５８を介して例えば十字穴付き皿小ネジで結合される。この滑り具本体３３は、外嵌固定部３３ｂの孔５８側を障子等の中側にして、例えば十字穴付き皿小ネジで穴４０を介して障子等の下端部に固定される。なお、本体部３３ａ並びに外嵌固定部３３ｂの材質は前記した例の材質に限定されるものではなく、両方ともプラスチック製にするも、或いは金属製にするも、さらに一部をプラスチック製または金属製にするも自由である。勿論、プラスチック製、金属製以外の材質であってもよい。
【００３９】
戸車高さ調整手段３４(図１２〜図１４参照)は、支持部材４２と戸車４３と係合手段４４とによって構成され、前記滑り具本体３３の本体部３３ａの傾斜溝３７に、両側端部を摺動自在に係合できる支持部材４２が取り付けられ、この支持部材４２に戸車４３が回転自在に支持され、さらに、滑り具本体３３の本体部３３ａの凹凸係合部３８に係合する係合手段４４によって、前記戸車４３を支持部材４２を介して滑り具本体３３の長手方向に段階的に移動および所望箇所で係止（動かないように固定）できるようにした構成である。
【００４０】
また、前記した係合手段４４(図１４〜１６参照)は、支持部材４２の一端部に係止する係止部４５と、係止部４５の一端部の両側近傍から突出する一対の弾性変形する係止杆４６と、各係止杆４６の先端部の側部に形成されて滑り具本体３３の本体部３３ａの凹凸係合部３８に係合する凸部４７と、各係止杆４６の先端部の内側に突き出すように形成された止め板部４８と、各係止杆４６の止め板部４８近傍の内側に形成された横断面半円状の着脱凸部５９とを有する係合部材４９、並びに係合部材４９の一対の係止杆４６の間に移動可能に係合される規制板部５０と、規制板部５０の両側に形成されて前記した着脱凸部５９を着脱可能に係合する縦溝部６０と、前記規制板部５０の上端部に形成された凹凸板状の操作部５１とを有する係止固定部材５２とによって構成されている。
【００４１】
前記の戸車４３は、滑り具本体３３内を長手方向に移動しても常に滑り具本体３３の開口３９から外に出るように取り付けてある。
【００４２】
戸車４３を滑り具本体３３内の所望の位置まで移動させる場合は、前記操作部５１を戸車４３側に押して係止固定部材５２を戸車４３寄りに位置させ、戸車４３を滑り具本体３３の長手方向に押したり又は引いたりすることにより所望位置に移動させることができる。所望位置に戸車４３を位置させた後は、操作部５１を戸車４３と反対方向に押したり又は引いたりして係止固定部材５２の規制板部５０を、両係止杆４６の止め板部４８側に位置させる。このことにより両係止杆４６の先端部（規制板部５０側）の内側への撓みが阻止され、各係止杆４６の凸部４７が滑り具本体３３の凹凸係合部３８の凹部５３に係止した状態を保持することになる。その結果、戸車４３は所望位置で固定されることになる。この時、各係止杆４６の着脱凸部５９は係止固定部材５２の縦溝部６０に係止し、係止固定部材５２が自然に動くことのないようにしてある(図１６の状態)。
【００４３】
戸車４３を移動させる場合は、前記したように操作部５１を戸車４３側に押し各係止杆４６の先端部を内側に撓めるようにすることにより(図１５の状態)、凸部４７の凹部５３への係止固定関係が解除され、簡単に戸車４３を移動させることができる。
【００４４】
この例の戸滑り具３２も、先の例の戸滑り具１と同様にして、例えば建具または引き戸等の傾きを修正するために戸車４３を前記のように移動させて所望位置に固定し、滑り具本体３３の開口端から外に露出する戸車４３の突出高さを調整し、戸滑り具３２を引き戸等の下端部の所定箇所にネジ等で穴４０を介して取り付けることにより、簡単に引き戸等の柱等に対する傾きを修正することができ、所期の目的を有効に達成することができる。
【図面の簡単な説明】
【００４５】
【図１】本発明に係る一例の戸滑り具の底部側から見た斜視図である。
【図２】本発明に係る一例の戸滑り具の正面図である。
【図３】本発明に係る一例の戸滑り具の上部側から見た斜視図である。
【図４】本発明に係る本体部２ａに関する図であって、（ａ）は本体部２ａの縦断面図、（ｂ）は本体部２ａの底面図、（ｃ）は本体部２ａの左側面図である。
【図５】本発明に係る閉鎖板２ｃに関する図であって、（ａ）は閉鎖板２ｃの平面図、（ｂ）は閉鎖板２ｃの裏面図、（ｃ）は閉鎖板２ｃの底面図、（ｄ）は閉鎖板２ｃの表面図である。
【図６】本発明に係る高さ調整部材１５に関する図であって、（ａ）は高さ調整部材１５の正面図、（ｂ）は高さ調整部材１５の平面図、（ｃ）は高さ調整部材１５の底面図、（ｄ）は（ａ）のＸ−Ｘ矢視の断面図、（ｅ）は（ａ）のＹ−Ｙ矢視の断面図である。
【図７】本発明に係る係止固定部材１６に関する図であって、（ａ）は係止固定部材１６の正面図、（ｂ）は係止固定部材１６の平面図、（ｃ）は係止固定部材１６の側面図である。
【図８】図１に示す例の戸滑り具を障子に取り付けて柱と障子の傾きを修正する際の一例の計算方法の説明図である。
【図９】図８における戸滑り具の高さ調整の一例の計算方法の場合の説明図である。
【図１０】図８と傾きが異なる場合の柱と障子の傾きを修正する際の一例の計算方法の説明図である。
【図１１】図１０における戸滑り具の高さ調整の一例の計算方法の説明図である。
【図１２】本発明に係る他の例の戸滑り具の戸車側から見た斜視図である。
【図１３】図１２の戸滑り具から外嵌固定部３３ｂを取り除いて戸車側から見た斜視図である。
【図１４】図１２の戸滑り具の内部構造を示す説明図である。
【図１５】各係止杆４６が撓み変形可能な状態の係合手段４４の斜視図である。
【図１６】各係止杆４６が内外方向に撓み変形できないようにロックされた状態の係合手段４４の斜視図である。
【図１７】従来のネジ式高さ調整滑り具の拡大斜視図である。
【符号の説明】
【００４６】
１      戸滑り具（滑りタイプ）
２      滑り具本体
３      高さ調整手段
４      傾斜面部
８      長溝
９      凹凸係合部
１４    摺動面部
３２    戸滑り具（戸車タイプ）
３３    滑り具本体
３４    戸車高さ調整手段
３６    側面部
３７    傾斜溝
３８    凹凸係合部
４２    支持部材
４３    戸車
４４    係合手段
【図１】
2005200833.tif 000003
【図２】
2005200833.tif 000004
【図３】
2005200833.tif 000005
【図４】
2005200833.tif 000006
【図５】
2005200833.tif 000007
【図６】
2005200833.tif 000008
【図７】
2005200833.tif 000009
【図８】
2005200833.tif 000010
【図９】
2005200833.tif 000011
【図１０】
2005200833.tif 000012
【図１１】
2005200833.tif 000013
【図１２】
2005200833.tif 000014
【図１３】
2005200833.tif 000015
【図１４】
2005200833.tif 000016
【図１５】
2005200833.tif 000017
【図１６】
2005200833.tif 000018
【図１７】
2005200833.tif 000019